(57)【要約】【課題】複雑な構成や多量の部材を必要とせずに閉蓋状態で確実に固定して破損を防ぎ、特に、ラベル部分を含むボトル本体の殆どが遮蔽されることなく露出した状態で固定されて開蓋したときに見栄えがよく保管箱としても使用できる収納箱を提供する。【解決手段】少なくとも一部に開閉可能な蓋体により被閉された開閉部を有して全体が少なくとも一対の互いに対向する壁面を有する箱形に形成された収容箱本体と、収容箱本体における一つの壁面に沿ってボトル本体の底部外面に形成される凹部に嵌合する係合突起を有する底部支持体が配置されているとともに対向するもう一つの壁面に沿ってボトル本体の首部を支持する係合穴を有する首部支持体が配置されており、酒入りボトルを底部支持体と首部支持体とにより箱内に架設した状態で収容することを特徴とする。【選択図】  図１
0003148012.tif 000002
【実用新案登録請求の範囲】
【請求項１】
底部を外側から内側に屈曲させて凹部を形成することにより充填した酒類の澱を分離するための突起を底部内面に形成したボトル本体に酒類を入れた酒入りボトルの収容箱であって、少なくとも一部に開閉可能な蓋体により被閉された開閉部を有して全体が少なくとも一対の互いに対向する壁面を有する箱形に形成された収容箱本体と、前記収容箱本体における一つの壁面に沿って前記ボトル本体の底部外面に形成される凹部に嵌合する係合突起を有する底部支持体が配置されているとともに対向するもう一つの壁面に沿って前記ボトル本体の首部を支持する係合穴を有する首部支持体が配置されており、前記酒入りボトルを前記底部支持体と首部支持体とにより箱内に架設した状態で収容することを特徴とする酒入りボトルの収容箱。
【請求項２】
前記首部支持体における前記ボトル本体の首部を支持する係合穴が、前記底部支持体への対向面に形成されたボトル本体における首部の差込み穴であるととともに、この差し込み穴の外周に差し込んだボトル本体の首部を押圧保持する弾性材からなる保持部材が設けられている請求項１記載の酒入りボトルの収容箱。
【請求項３】
前記底部支持体が前記箱体の壁面に固定されている請求項１または２記載の酒入りボトルの収容箱。
【請求項４】
前記首部支持体と底部支持体とが複数個配列されている請求項１，２または３記載の酒入りボトルの収容箱。
【請求項５】
前記収容箱本体、首部支持体または底部支持体の少なくとも１つが紙製である請求項１，２，３または４記載の酒入りボトルの収容箱。
【考案の詳細な説明】
【技術分野】
【０００１】
本考案は、例えばワイン、シャンペンなどの酒類がボトルに充填されている酒入りボトル、殊に、ガラス製のボトル本体が底部を外側から内側に屈曲させて凹部を形成することにより充填した酒類の澱を分離するための突起を底部内面に形成した酒入りボトルの収容箱に関するものである。
【背景技術】
【０００２】
従来、ボトルにワイン、シャンペンなどの酒類を充填した酒入りボトルが一般に用いられているが、この種の酒入りボトルはボトル本体が破損し易いガラス製のため、搬送したり保管したりする際には収容した収容箱との隙間に丸めた紙や発泡材からなる緩衝材を詰めることにより酒入りボトルを収容箱内で揺動しないように固定して移動時や保管時の破損を防止している。
【０００３】
ところで、ワイン、シャンペンなどの酒類、特に、長期に熟成したものは収集的や経済的な価値も高く贈答などにも用いられ、閉蓋状態で破損を防止することはいうまでもなく、開蓋状態で見栄えよく収納できることが要求されている。
【０００４】
そこで、例えば特開平７−３０９３８３号公報、特開２００７−３２６５３９号公報、実用新案登録第３０９５０８５号公報などに酒入りボトルを浮遊状態で保持させて収容する収容箱が提示されている。
【０００５】
ところが、前記特開平７−３０９３８３号公報に提示されている収容箱では、浮遊状態で収容したボトル本体を支持紐により結束して収容箱に支持するものであり、収容作業に多大な時間と労力を有し、また、支持紐がボトル本体に圧接することからボトル本体表面や貼着されているラベルなどを損傷して骨董的な価値が減じてしまうという問題がある。
【０００６】
また、前記特開２００７−３２６５３９号公報、実用新案登録第３０９５０８５号公報などに提示されている収納箱では、ボール紙により組み立てたボトル本体全体を囲む支持枠によりボトル本体を浮遊状態に支持するものであり、多量の素材を必要とするばかりか、支持枠により収容したボトル本体が遮蔽されてしまうので見栄えが悪いという問題がある。
【特許文献１】特開平７−３０９３８３号公報
【特許文献２】特開２００７−３２６５３９号公報
【特許文献３】実用新案登録第３０９５０８５号公報
【考案の開示】
【考案が解決しようとする課題】
【０００７】
本考案は、上記のような従来の酒入りボトルについての収容箱が有する問題点を解決するためになされたものであり、複雑な構成や多量の部材を必要とせずに閉蓋状態で確実に固定して破損を防ぎ、特に、ラベル部分を含むボトル本体の殆どが遮蔽されることなく露出した状態で固定されて開蓋したときに見栄えがよく保管箱としても使用できる収納箱を提供するものである。
【課題を解決するための手段】
【０００８】
前記課題を解決するためになされた本考案は、底部を外側から内側に屈曲させて凹部を形成することにより充填した酒類の澱を分離するための突起を底部内面に形成したボトル本体に酒類を入れた酒入りボトルの収容箱であって、少なくとも一部に開閉可能な蓋体により被閉された開閉部を有して全体が少なくとも一対の互いに対向する壁面を有する箱形に形成された収容箱本体と、前記収容箱本体における一つの壁面に沿って前記ボトル本体の底部外面に形成される凹部に嵌合する係合突起を有する底部支持体が配置されているとともに対向するもう一つの壁面に沿って前記ボトル本体の首部を支持する係合穴を有する首部支持体が配置されており、前記酒入りボトルを前記底部支持体と首部支持体とにより箱内に架設した状態で収容することを特徴とする。
【０００９】
本考案によれば、収容箱本体の対向する壁面に設けられた係合突起にボトル本体の底部外面に形成される凹部に嵌合するとともに対向するもう一つの壁面に沿って設けられた係合穴にボトル本体の首部を支持することにより、簡単且つ確実に酒入りボトルを浮遊状態で収容箱に支持させることができる。
【００１０】
特に、ボトル本体の底部を壁面に設けられた係合突起に嵌合することにより底部を支持することから、底部の外周面全体が露出するので開蓋したときに見栄えがよい。
【００１１】
また、本考案において、前記首部支持体における前記ボトル本体の首部を支持する係合穴が、前記底部支持体への対向面に形成されたボトル本体における首部の差込み穴であるととともに、この差し込み穴の外周に差し込んだボトル本体の首部を押圧保持する弾性材からなる保持部材が設けられている場合には、前記ボトル本体の底部を嵌合、支持する壁面に設けられた係合突起とともに確実にボトル本体を支持することができ、また、差し込み穴へのボトル本体における首部の差し込み長さを調節することにより高さの異なる複数種類のボトル本体について適用することができる。
【００１２】
更に、前記底部支持体が前記箱体の壁面に固定されている場合にはより構成が簡単で部品点数も少なくて済み、安価に提供することができ、前記首部支持体と底部支持体とが複数個配列されている場合には１つの収容容器に複数の酒入りボトルを一度に並べて収容することもできる。
【００１３】
更にまた、前記収容箱本体、首部支持体または底部支持体の少なくとも１つが紙製である場合には見栄えが良いばかりか使用後の処理についても有害とならない。
【考案の効果】
【００１４】
本考案によれば、複雑な構成や多量の部材を必要とせずに閉蓋状態で確実に固定して移送時や保管時における破損を防ぎ、開蓋したときに見栄えがよく保管箱としても使用できる。
【考案を実施するための最良の形態】
【００１５】
以下に、図面を参照して本考案を実施するための最良の形態を説明する。
【００１６】
図１乃至図４は本考案の好ましい実施の形態を示すものであり、収容箱１に収容された例えばワインのような酒が充填され、底部２１を外側から内側に屈曲させて凹部２２を形成することにより充填した酒類の澱を分離するための突起を底部２１内面に形成したボトル本体２３を有するボトル２を横方向に収容する収容箱本体３と、前記収容箱本体３内に収容した酒入りボトル２を架設状態で支持する底部支持体４と、首部支持体５とから構成される。
【００１７】
そして、前記収容箱本体３は、全体が例えば厚紙により形成された直方体形状の箱形で、下方に位置する上端を開口した収容部３１とこの収容部３１における開口部３２の長さ方向に延びる後方側の縁端に形成される開閉部３３を介して付設されている蓋体３４とから構成されている。
【００１８】
また、前記酒入りボトル２の底部２１を支持する底部支持体４は、前記収容箱本体３の一つの壁面３５に沿って内側に配置される基板４１のほぼ中心にボトル本体２３の底部２１外面に形成されている凹部２２に嵌合する係合突起４２を有する底部支持体４３が配置されている。この底部支持体４３を形成する基板４１と係合突起４２は本実施の形態では、厚紙により形成され、係合突起４２は全体が扁平な五角柱形状であり、美観的に優れているとともに前記ボトル本体２３に形成されている凹部２２に安定した状態で嵌合することができるが、係合突起４２はボトル本体２３の底部２１外面に形成されている凹部２２に嵌合するものであればよく、形状並びに素材は問わない。
【００１９】
更にまた、前記ボトル２の円筒状の首部２４を支持する差込み穴５１を有する前記首部支持体５は、前記収容箱本体３の前記壁面３５に対向する壁面３６に沿って内側に配置され、厚紙製の基体５２とこの基体５２の内側壁５３に形成されたボトル２における首部２４の差込み穴５１に中心軸を合わせて配置された首部２４を保持する支持部本体５４とからなる。特に、本実施の形態では、前記支持部本体５４は例えば発泡ポリウレタン樹脂のような弾性材により形成されて、ボトル２の首部２４の直径よりも小径の円柱形の支持孔５５を有する円筒形を呈し、その一方の端面５６を基体４２に形成された差込み穴５１に合わせて基体５２内に配置され、前記端面５６およびもう一方の端面５７を介して接着などの手段により固着される。
【００２０】
尚、本実施の形態では、前記基板４１および基体５２は前面上部に面取り部４３および５８を形成しており、蓋体３４を収容箱本体３の開閉部３１において開閉する際に、蓋体３４が基板４１および基体３４に当たって開閉を阻止する事態を防ぎ、支障のなく開閉操作を行うことができる。
【００２１】
尚、本実施の形態では、蓋体３４を開閉部３１に蝶着させた構成としたことにより、蓋体３４の開閉が容易で装飾した蓋体３４の内側が露出するなど豪華であるとともに開けた蓋体３４を置いておくスペースが不要であるなどの利点を有しているが、蓋体３４を収容箱本体３とを別体としてもよい。
【００２２】
以上の構成を有する本実施の形態を使用するには、まず、図４（ａ）に示すように、酒入りボトル２の底部２１に形成された凹部２２に底部支持体４の係合突起４２を嵌合させるともに、酒入りボトル２の首部２４を基体５２に形成された差込み穴５１から首部支持体５における支持部本体５５の支持孔５６に所定の長さだけ圧入する（図４（ｂ）に示す状態）。
【００２３】
そして、そのままの状態で底部支持体４と酒入りボトル２と首部支持体５とを一体として蓋体３４を開けた状態の収容箱本体３内に収容し、図４（ｃ）に示したように蓋体３４を閉じて収容操作を終える。このとき、底部支持体４の基体４３が収容箱３の壁面３５に、首部支持体５の基体５２が壁面３６にそれぞれ隙間なく当接した状態に首部２４の首部支持体５への差し込み長さを調節する。このように本実施の形態では首部２４の首部支持体５への差し込み長さを調節することにより、異なる長さの酒入りボトル２を確実に収容させることができる。
【００２４】
このような本実施の形態によれば、酒入りボトル２は、収容箱本体３の壁面３５に設けられた係合突起４２にボトル本体２３の底部２１外面に形成される凹部２２に嵌合するとともに対向するもう一つの壁面３６に沿って設けられた係合穴５１にボトル本体２３の首部２４を支持することにより、簡単且つ確実に酒入りボトル２を浮遊状態で収容箱に支持させることができる。
【００２５】
特に、本実施の形態では、係合穴５１に差し込まれるボトル本体２３の首部２４は、弾性を有する支持部本体５５の首部２４の直径よりも小径の支持孔５６に圧入されることにより確実に且つ強固に支持されるので移送中に酒入りボトル２が揺動するなどの心配がない。
【００２６】
本実施の形態では、ボトル本体２３の殆ど全て、特にラベル２５の部分全体が従来の収容箱のように包装物により遮られることがなく、見栄えがよく収容することができる。
【００２７】
また、収容した酒入りボトル２を取り出すには、前記図４（ｂ）に示したと反対に上方（鎖線で示す矢印方向）へ引き上げればよい。
【００２８】
尚、本実施の形態では、底部支持体４および首部支持体５を収容箱本体３と別体に形成したことにより、製造が容易であるとともに、使用後に収容箱本体３の
部分だけを例えば貴重品などの収容箱としてそのまま再利用することができるなど多くの利点を有しているが、底部支持体４および首部支持体５を収容箱本体３と一体的に形成してもよいことはいうまでもない。
【００２９】
また、本実施の形態では、収容箱本体３、底部支持体４および首部支持体５の殆どを厚紙により形成したので耐久性があり、移送に際しても充分に耐えるとともに、長期の保管も耐え、また、処分する際にも再利用（リサイクル）が可能でありきわめて経済的であるばかりか環境面でも優れているが、これに限るものでなく、本考案の実施に際して特に素材を問わない。
【００３０】
図５は、本考案の異なる実施の形態を示すものであり、底部支持体４および首部支持体５の主たる構成は前記図１〜４に示した実施の形態とほぼ同様であるが、収容箱本体３の対向する壁面３５および３６に対向配置した底部支持体４および首部支持体５が複数組配置されている点が異なる。
【００３１】
本実施の形態によれば、１つの収容箱１に複数の酒入りボトル（図示せず）を確実且つ見栄えよく収容することができる。尚、本実施の形態では基本的に同一長さの酒入りボトルを複数収容するのに適しているが、前記実施の形態のように、ある範囲について首部支持体５を調節可能に支持可能なものを採用することにより多少長さの異なる酒入りボトルを組み合わせて収納摺ることもできる。
【００３２】
更に、図６は本考案の更に異なる実施の形態を示すもので、底部支持体４および首部支持体５を上下方向に対向配置したものであり、酒入りボトル２は縦方向に向けて浮遊した状態で支持される。
【００３３】
本実施の形態によれば、例えばダース物の収容箱に利用することにより並列される底部支持対４と首部支持体５との互いの間隔を収容する酒入りボトル２の直径に合わせて調整することにより、互いに隣接する収容された酒入りボトル２同士が接触することがないので従来のように収容箱内に仕切部材を立てる必要がなく部品の削減ができるばかりか収容作業も簡潔化される。
【００３４】
更に、本実施の形態では収容箱３内に上下方向に対向して配置される基板６１および６２に複数の底部支持体４および首部支持体５を例えば型押しにより一体的に形成することで容易且つ安価に製造することができる。
【図面の簡単な説明】
【００３５】
【図１】本考案における好ましい実施の形態の斜視図であり、（ａ）は蓋体を閉じた状態を示し、（ｂ）は蓋体を開けた状態を示す。
【図２】図１に示した実施の形態における分解斜視図である。
【図３】図１に示した実施の形態における首部支持体の分解斜視図である。
【図４】図１に示した実施の形態における使用状態の説明図である。
【図５】本考案の異なる実施の形態を示す部分説明図。
【図６】本考案の更に異なる実施の形態を示すものであり、（ａ）は斜視説明図であり、（ｂ）は使用状態の説明図である。
【符号の説明】
【００３６】
１  収容箱、２  酒入りボトル、３  収容箱本体、４  底部支持体、５  首部支持体、２１  底部、２２  凹部、２３  ボトル本体、３１  収容部、３２  開口部、３３  開閉部、３４  蓋体、３５  壁面、３６  壁面、４２  突起、５１  差し込み穴、５４  支持部本体
【図１】
0003148012.tif 000003
【図２】
0003148012.tif 000004
【図３】
0003148012.tif 000005
【図４】
0003148012.tif 000006
【図５】
0003148012.tif 000007
【図６】
0003148012.tif 000008